(57)【要約】【課題】臭気物質を分解及び／又は除去する方法及びシステムを提供する。【解決手段】  臭気物質を分解及び／又は除去する方法であって、次亜塩素酸ナトリウム及び／又は次亜塩素酸カリウムを有効塩素濃度で350ｐｐｍ以上含有し、かつpHが3.0−5.5又は8−10の範囲である、塩化ナトリウム及び／又は塩化カリウムで飽和した次亜塩素酸溶液を臭気物質に接触させることにより、臭気物質を分解及び／又は除去する工程を含むことを特徴とする方法。【選択図】図４
2015107477.tif 000002
【特許請求の範囲】
【請求項１】
臭気物質を分解及び／又は除去する方法であって、次亜塩素酸ナトリウム及び／又は次亜塩素酸カリウムを350ｐｐｍ以上含有し、かつpHが3−5.5又は8−10の範囲である、塩化ナトリウム及び／又は塩化カリウムで飽和した次亜塩素酸溶液を臭気物質に接触させることにより、臭気物質を分解及び／又は除去することを特徴とする方法。
【請求項２】
前記次亜塩素酸溶液が、次亜塩素酸ナトリウムを終濃度350ｐｐｍ以上になるように含有させ、平衡状態に達した後、ナトリウムイオンを増加させることにより、次亜塩素酸ナトリウムの解離状態の平衡を非解離状態側に移動させる工程を含む方法により製造された溶液であることを特徴とする請求項１の方法。
【請求項３】
さらに、電気集塵工程を有する請求項１又は２の方法。
【請求項４】
さらに、活性炭による臭気物質の吸着処理工程を有する請求項１乃至請求項３のいずれか１項に記載の方法。
【請求項５】
臭気物質を分解及び／又は除去するシステムであって、次亜塩素酸ナトリウム及び／又は次亜塩素酸カリウムを350ｐｐｍ以上含有し、かつpHが３−５．５又は８−１０の範囲である塩化ナトリウム及び／又は塩化カリウムで飽和した次亜塩素酸溶液を調製する手段と、前記溶液を貯留する貯留槽と、臭気物質を含む気体を導入する手段と、前記溶液を前記臭気物質を含む気体に接触させ、臭気物質を分解及び／又は除去する手段と、臭気物質を分解及び／又は除去した気体を排出する手段とを有することを特徴とするシステム。
【請求項６】
前記溶液が、飽和食塩水中に次亜塩素酸ナトリウムを350ｐｐｍ以上含有させ、平衡状態に達した後、ナトリウムイオンを増加させることにより、次亜塩素酸ナトリウムの解離状態の平衡を非解離状態側に移動させる手段を含む調製手段により製造された溶液であることを特徴とする請求項５のシステム。
【請求項７】
さらに、電気集塵手段を備える請求項５又は６に記載の消臭システム。
【請求項８】
さらに、活性炭による臭気物質の吸着処理手段を備える請求項５乃至請求項７のいずれか１項に記載の消臭システム。
【請求項９】
次亜塩素酸ナトリウム及び／又は次亜塩素酸カリウムを350ｐｐｍ以上含有し、かつpHが3-5.5又は8−10の範囲である、塩化ナトリウム及び／又は塩化カリウムで飽和した次亜塩素酸溶液。
【発明の詳細な説明】
【技術分野】
【０００１】
本発明は、気体中の臭気物質を分解及び／又は除去する溶液、方法及びシステムに関する。
【背景技術】
【０００２】
喫煙は、喫煙者のみの健康を害するだけでなく、副流煙による受動喫煙により、他人の喫煙で健康を害するおそれがあることから、世界的に分煙化が進められている。
【０００３】
分煙化の手段としては、気密性の高い喫煙室または喫煙ブースが設置されることが多い。いずれにしても、喫煙者の健康を守るためとタバコの煙や臭気を除去するために、喫煙室または喫煙ブース内にたばこの煙・臭気物質を除去する機構/装置が設けられている。
【０００４】
また、たばこの排煙、排気に限らず、不快臭を発生させる排気、排煙が、飲食店、病院、下水、老人ホーム、工場等からも排出される場合があり、これらの排気、排煙中の不快臭や有害な揮発性物質を分解及び／又は除去する方法やシステムが求められていた。
【０００５】
単に、たばこ等の排煙、排気を含む気体を換気により大気中に放出することも可能ではあるが、近隣住民等との間に問題が生じること等から、根本的にたばこの煙・臭気物質を分解又は除去する装置が求められ、種々の提案がなされている。
【０００６】
これらの臭気物質を除去する方法としては、例えば、ゼオライトや活性炭等による除去（特許文献１）、強電解水による除去（例えば、特許文献２）、静電吸着による除去（特許文献３）などが提案されているが、いずれも、たばこ等の排煙、排気中の不快臭を十分除去できるようなものは開発されていない。
【０００７】
これは、臭気物質が多種多様であるために、全ての臭気物質を同じシステムで、吸着、分解又は除去できないことに起因すると考えられる。例えば、タバコにはナス科タバコ属の多年草が使用されるが、タバコ属には約50の種があり、さらに品種、産地等によって含まれる成分が異なり、実際にたばこの燃焼に伴う揮発性成分を分析すると3000種類以上のものが含まれているため、全ての臭気成分の除去が難しく、より効率よく臭気物質を分解及び／又は除去する方法の開発が求められていた。
【０００８】
他に、たばこ等の煙や不快臭を感じなくするには、マスキングという手法がある。これは、オレンジ等の柑橘系の匂いなどでごまかす方法である。しかしこの方法では、不快臭を感じなくすることはできても、根本的な健康被害をなくすことはできないため、不快臭を含む揮発性物質の吸着・分解等による除去が望まれていた。
【０００９】
また、活性炭などの吸収・吸着方式でも、吸着後の活性炭の再生や廃棄に問題が残ることからも、臭気物質を分解する溶液、方法又はシステムが求められていた。
【先行技術文献】
【特許文献】
【００１０】
特許文献１  特許第４９４８３２５号
特許文献２  特開２００４−２９０７１３
特許文献３  特開２０１２−９６１６２
【発明の概要】
【発明が解決しようとする課題】
【００１１】
臭気物質を分解及び／又は除去する溶液、方法及びシステムを提供する。
【課題を解決するための手段】
【００１２】
発明者らは、前記課題について鋭意検討した結果、臭気物質を効率よく分解及び／又は除去する方法を発見し、発明を完成させた。本明細書によれば、以下の発明が提供される。
（１）臭気物質を分解及び／又は除去する方法であって、次亜塩素酸ナトリウム及び／又は次亜塩素酸カリウムを３５０ｐｐｍ以上含有し、pHが３．０−５．５又は８．０−１０．０の範囲である、塩化ナトリウム及び／又は塩化カリウムイオンで飽和した次亜塩素酸溶液を、臭気物質に接触させることにより、臭気物質を分解及び／又は除去することを特徴とする方法。溶液としては、３５０ｐｐｍ以上の次亜塩素酸ナトリウム溶液に塩化ナトリウム又は水酸化ナトリウム等を添加することにより作成する。ここで３５０ｐｐｍは有効塩素濃度を表している。より好ましい有効塩素濃度は、５００ｐｐｍ以上、さらに好ましくは７００ｐｐｍ以上、特に好ましくは１０００ｐｐｍ以上である。有効塩素濃度の上限は市販の次亜塩素酸の原液、すなわち有効塩素濃度１２％以下である。また、ナトリウム塩の代わりにカリウム塩（塩化カリウム、次亜塩素酸カリウム、水酸化カリウム等）を用いることもできる。
【００１３】
（２）前記溶液が、次亜塩素酸ナトリウム溶液にナトリウムイオンを過飽和に添加し、有効塩素濃度が、350ｐｐｍ以上になるように調整する工程を含む方法により製造された溶液であることを特徴とする（１）の方法。この場合、塩化ナトリウムの添加量で増える容積が分かっていれば、それを計算して有効塩素濃度が最終的に350ｐｐｍ以上になるようにできれば、ナトリウムイオンを過飽和に添加するだけでも、ナトリウムイオン過飽和次亜塩素酸ナトリウム溶液が作成できる。このようにして作成された溶液も本発明（１）又は（２）の溶液に含まれる。ここで、「ナトリウムイオンを増加させる」には、塩化ナトリウムや硫酸ナトリウム等を添加して溶解させればよいが、これらに限られない。要はナトリウムイオンが増加することで、NaClOの解離平衡が非解離の方向に移動すればよい。すなわち、[NaClO]⇔[Na+]+[ClO―]の式において、ルシャトリエの原理に基づきナトリウムイオンの濃度を上げることにより、[NaClO]濃度が上がればよい。あるいは、次亜塩素酸ナトリウム溶液が平衡に達した後、塩化ナトリウム、硫酸ナトリウム、硝酸ナトリウム等を添加することにより、NaClOの解離平衡を左辺に移動させてもよい。
【００１４】
（３）さらに、電気集塵工程を有する（１）又は（２）の方法。
（４）さらに、活性炭による臭気物質の吸着処理工程を有する（１）乃至（３）のいずれか１に記載の方法。
（５）臭気物質を分解及び／又は除去するシステムであって、次亜塩素酸ナトリウム及び／又は次亜塩素酸カリウムを３５０ｐｐｍ以上含有し、かつｐＨが３−５．５又は８−１０の範囲である塩化ナトリウム及び／又は塩化カリウムで飽和した次亜塩素酸溶液を調製する手段と、前記溶液を貯留する貯留槽と、臭気物質を含む気体を導入する手段と、前記溶液を前記臭気物質を含む気体に接触させ、臭気物質を分解及び／又は除去する手段と、臭気物質を分解及び／又は除去した気体を排出する手段を有することを特徴とするシステム。
【００１５】
（６）前記溶液が、飽和食塩水中に次亜塩素酸ナトリウムを３５０ｐｐｍ以上含有させ、平衡状態に達した後、ナトリウムイオンを増加させることにより、次亜塩素酸ナトリウムの解離状態の平衡を非解離状態側に移動させる手段を含む調製手段により製造された溶液であることを特徴とする（５）のシステム。
（７）  さらに、電気集塵手段を備える（５）又は（６）に記載の消臭システム。
（８）  さらに、活性炭による臭気物質吸着処理手段を備える（５）乃至（７）のいずれか１に記載の消臭システム。
（９）次亜塩素酸ナトリウム及び／又は次亜塩素酸カリウムを350ｐｐｍ以上含有し、かつpHが3−5.5又は8−10の範囲である、塩化ナトリウム及び／又は塩化カリウムで飽和した次亜塩素酸溶液。ここでこの溶液は、タバコの臭気物質及び／又は煙を分解及び／又は除去するために好適に用いられる。
（１０）次亜塩素酸ナトリウム溶液及び／又は次亜塩素酸カリウム溶液の解離状態を平衡状態にする工程と、平衡状態に達した後にナトリウムイオン又はカリウムイオンを増加させることにより平衡状態を非解離の方向に移動させる工程を有する方法により製造される（９）の次亜塩素酸溶液。ここで、ナトリウムイオン又はカリウムイオンを増加させるには、例えば、塩化ナトリウム（又は塩化カリウム）、硫酸ナトリウム（又は硫酸カリウム）、硝酸ナトリウム（又は硝酸カリウム）等を添加して溶解させればよい。それにより、例えば、次亜塩素酸ナトリウムの解離平衡が非解離（左辺）方向に移動するため、非解離の次亜塩素酸ナトリウムが増加する。
【発明の効果】
【００１６】
本発明によれば、臭気物質を効率よく分解及び／又は除去できる。
【図面の簡単な説明】
【００１７】
【図１】図1はたばこの煙等の消臭実験の手順を示す図である。
【図２】図２はたばこの煙や臭気物質を分解及び／又は除去するための実験装置を示す図である。
【図３】図３は本発明の１実施態様のシステムの概要を示す図である。
【図４】図４は本発明の１実施態様のシステムの構造を示す図である。
【発明を実施するための形態】
【００１８】
発明者らは、前記課題について鋭意検討した結果、臭気物質を効率よく分解及び／又は除去する方法を発見した。
【００１９】
本明細書において、「臭気物質」とは、排気又は排煙の悪臭、焼肉、焼き魚等の悪臭、オイルミスト、人いきれ、自動車の排気、焼却炉等からの排気、たばこの煙、加齢臭、雑菌の臭い、病院や介護施設の排気、糞尿処理場、下水処理場、皮革、パルプ、飼料、肥料、家畜、動物、プラスチック、ゴム、建材、生ゴミ等の臭いが含まれるがこれらに限られない。また、人体に有害なもの、無害なものおよび有益なものも人間が感じる臭いを有する限り臭気物質に含まれる。
【００２０】
「臭気物質」の例としては、脂肪酸やタンパク質の酸化物、分解物、アミン類、アンモニア類、メチルメルカプタン、硫化水素、硫化メチル、硫黄酸化物、窒素酸化物、トリメチルアミン、アセトアルデヒド、ホルムアルデヒド、イソシアネート、フタル酸エステル、リン酸エステル、有機リン系又は有機塩素化合物、イソプロピルアルコール、エタノール、トルエン、キシロール、ベンジン、フロンガス、プロピオン酸、ノルマル酪酸、一酸化炭素、ニコチン等及びこれらの複数を含む混合物が挙げられるが、これらに限られない。
【００２１】
本発明では、分解の方式として、酸化分解を採用した。すなわち、本発明で用いる臭気物質の分解および／または除去の方法としては、過酸化水素、オゾン、塩素系、次亜塩素酸系など等を用いた酸化分解が好ましく用いられる。典型的には、次亜塩素酸ナトリウム又は次亜塩素酸による分解が特に好ましく用いられる。
【００２２】
次亜塩素酸系溶液としては、例えば、塩化ナトリウム溶液等の塩素イオンを含む溶液の電気分解により作製される強酸性電解水溶液、弱酸性電解水が用いられる。また、水酸化ナトリウム溶液に塩素を通じても作製した溶液も使用できる。それらに加え、一般的に研究用試薬や漂白剤として販売されている次亜塩素酸ナトリウム溶液等も用いることができる。強酸性電解水溶液の中には、塩素ガスと非解離のHClO（次亜塩素酸）が含まれ、弱酸性電解水（または、塩酸等で次亜塩素酸ナトリウム溶液のｐＨを３−５．５に調整したものでもよいが、これらについては別途詳述する）は、非解離のHClO（次亜塩素酸）が主に含まれ、次亜塩素酸ナトリウムは、溶液中ではClO−（次亜塩素酸イオン）が含まれ、これらが酸化剤となり、臭気物質の物質を酸化分解すると考えられる。
【００２３】
煙草の煙を真空にした捕集瓶に入れ、あらかじめ添加しておいた次亜塩素酸350ppm−塩化ナトリウム飽和溶液と接触させることにより、臭気物質を分解又は吸着させ、除去した。臭気物質と溶液を接触させる手段は、例えば、溶液をミストにして接触させる方法が好ましく用いられる。臭気物質と本発明の溶液を接触させたところ、短期間で煙草の煙の悪臭が分解できることがわかった。ｐＨは３．０〜５．５または、８〜１０が好適に用いられる。より好ましくは、ｐＨ４．５〜５．５、ｐＨ８〜９である。特に水酸化ナトリウムを添加してｐＨ９．０に調整した次亜塩素酸ナトリウム溶液を用いた場合、３５０ｐｐｍの濃度でも臭気物質を分解できることがわかった（実施例１、表１）。
【００２４】
臭気物質と次亜塩素酸溶液を接触させる手段としては、脱臭塔で用いられる、充填塔、スプレー塔、ヌレカベ塔、棚段塔、気泡塔等の技術が使用できる。
【００２５】
本明細書では次亜塩素酸濃度（ppm）は以下により測定した。ClO―濃度は、有効塩素濃度として測定した。この有効塩素濃度は、DPD比色法、DPD吸光光度法、ポーラグラフ法およびヨウ素還元滴定法など、当業者に周知の方法により測定できる。本発明では、ヨウ素還元滴定法により有効塩素濃度を測定したが、これに限るものではない。
【００２６】
ヨウ素還元滴定法とは、酸化剤・還元剤の両方の性質を備えるヨウ素を還元剤として用いる滴定法のことであり、酸化性の物質を含む水溶液にヨウ化カリウムを添加しI2を生成させ、そのI2を還元剤のチオ硫酸ナトリウム滴定液で滴定する間接滴定法のことである[井村久則 鈴木孝治 保母敏行、基礎科学コース 分析化学Ｉ、p58-59、丸善株式会社、平成8年]。次亜塩素酸イオンを含む溶液にヨウ化カリウムを加えると、以下の反応が起こる。この時溶液は黄色に変化する。
【００２７】
ClO−+2I−+2H+→  Cl−+I2+H2O                      (１)
このように、反応にはH+が必要であるため、ヨウ化カリウムを添加後、硫酸を加えてから滴定を行わなければならない。滴定時の反応は以下の様になる。
【００２８】
2Na2S2O3+I2→  2NaI+Na2S4O6                                     (２)
この反応により、ヨウ素が遊離するので溶液は黄色から無色透明に変化する。
【００２９】
それぞれの化学種のモル数を比較すると、(１)式より、次亜塩素酸イオンと生成したヨウ素のモル数は１：１であることが分かる。また(２)式より、次亜塩素酸イオンのモル数とチオ硫酸ナトリウムのモル数は１：２であることが分かる。よって有効塩素濃度を求める式は、次のように表すことが出来る。ここでのWはサンプルの重量、Nはチオ硫酸ナトリウム滴定液の濃度(N規定)、Tは滴下量(ml)である。また、この値は次亜塩素酸系の酸化力を塩素に換算したものであるため、
［｛（Ｎ×Ｔ）÷１０００×１／２×（３５．４５×２）｝÷Ｗ］×１０６ｐｐｍ    （３）
2015107477.tif 000003
(ppm)                                                       (３)
また、このヨウ素滴定の反応は非常に鋭敏であり、室温でおよそ10―5mol/Lのヨウ素を検出することが可能であると言われている（今泉洋ら、基礎分析化学、p82、化学同人、1998年）。
【００３０】
以下に実施例を用いて本発明について説明するが、これら実施例は何ら本発明を限定するものではない。
【実施例１】
【００３１】
臭気物質の分解及び／又は除去実験の概要を図１に示す。図１に示すように、真空ポンプを用いて1000ｍｌの枝付三角フラスコ内を真空にし、三角フラスコの枝の部分に火のついたたばこ（マイルドセブン、ＪＴ社製）1本を接続し、たばこの煙と臭気物質を閉じ込め（三角フラスコ内が真空なため、たばこの煙等が容器内に吸引され、閉じ込められる）、三角フラスコ上部に取り付けた三角ロートに市販の次亜塩素酸ナトリウム溶液にpH調整剤として、塩酸を用いて、３，５，７とし、有効塩素濃度を１００，２００，３５０，５００ｐｐｍに調整した溶液を200ml入れ、コックを開き、三角フラスコ内のたばこの煙に接触させた後、手で持って容器ごと数回撹拌した。撹拌後5名の人の臭覚と目視により、臭気物質と煙の減少度合いの評価を行った。ｐＨ９の次亜塩素酸ナトリウム溶液は、原溶液が酸性の場合はＮａＯＨでｐＨを調整して作製した。ここでｐＨ調整に使用する試薬としては、塩基性の溶液であれば何でも制限なく使用できる。原溶液が塩基性の場合は、塩酸、硫酸等の溶液が好適に用いられるが、これらに限られない。ｐＨ調整後、塩化ナトリウムを飽和するまで添加して溶解した溶液を作製し、タバコの煙と接触させて、臭気物質の分解及び／又は除去効果を測定した。その結果を表1に示す。
【００３２】
【表１】
2015107477.tif 000004
【００３３】
表1の結果から、有効塩素濃度500ppmのｐＨ３、ｐＨ５．５、ｐＨ９の溶液は、煙も除去でき、臭気物質も除去ができていることが分かった。また、ｐＨ９の場合、３５０ｐｐｍでも臭気物質と煙が除去できた。今回の実験の結果、ナトリウムイオンを増やして解離平衡を非解離の方向に移動させたｐＨ９が３５０ｐｐｍでも臭気物質と煙を除去できたことから、電荷をもたない、すなわち非解離の酸化剤が有効であることが分かった。
【００３４】
ただし、この時のｐＨ値は９であり、この値を１０にすると効果がやや低下し、１１以上にすると効果がなくなった。８以下にすると徐々に効果が減少した。したがって、効果が発現できるのはｐＨ８−１０であることが分かった。これらは全く予想外の結果であった。
【実施例２】
【００３５】
実施例１では、ｐＨ３では塩素臭がかなり強かったため、塩素ガスによるマスキングの可能性も考えられた。そこで、塩素ガスとアンモニアガスの測定を行った。アンモニアガスは、たばこの臭気物質の主成分として含まれることが知られている。そこで、アンモニアの測定により、臭気物質成分の分解が行われたか否かの1つの目安とすることができる。その測定結果を表２、表３に示す。
【００３６】
【表２】
2015107477.tif 000005
【００３７】
【表３】
2015107477.tif 000006
【００３８】
その結果、pH＝3のものは、使用した検知管で測定ができないほど塩素ガス濃度が高く(40ｐｐｍ)、pH=5のものは、15ppmであった。アンモニアは検出されず、薬液によって臭気物質成分が分解されているものと思われる。しかし、pHが3のものは、塩素ガス濃度が高いため使用には好ましくない。塩素ガスは、毒性ガスであり、支燃性ガスでもあるためである。塩素ガス濃度の観点からは、pHが5のものが有効であることが分かった。
【００３９】
pHは4以下にすると塩素ガス濃度が高くなり、6以上にすると臭気物質除去効果が弱くなることから、実使用では、4から6の間が有効であることが分かった。今回は、市販の次亜塩素酸ナトリウム溶液を使用してpHを調整したが、塩化ナトリウム溶液等の塩素を含む溶液の電気分解で作製できる電解水を用いても同様の結果が得られた。
【実施例３】
【００４０】
また、塩素ガスが検出されるということは、溶液の安定性が悪い、すなわち、時間とともに有効塩素濃度が低下していることに起因していることも突き止めた。
表２，３から、pH5近傍の溶液に有効塩素の安定性があり、ニオイの分解能力もあり、この値が特に有効であることがわかる。
【実施例４】
【００４１】
次に、次亜塩素酸または、次亜塩素酸ナトリウムの解離状態により、臭気物質の分解に与える影響について調べた。次亜塩素酸ナトリウム溶液中では、NaClOは一定割合が次亜塩素酸イオン（ClO−）に解離している。
NaClO + H2O⇔ClO−＋Na＋＋OH−
この次亜塩素酸イオンはマイナスチャージのため、同じくマイナスチャージと考えられるたばこの煙や臭気物質も、この次亜塩素酸イオンに近づけず、臭気物質を効率よく分解および／または除去できなかったのではないかと推測した。
【００４２】
そこで、上記反応式で、水溶液の中でも次亜塩素酸ナトリウム（NaClO）のままであれば（非解離状態であり、電気的に中性）、臭気物質を除去できるのではないかと考えた。そこで、上記式に食塩（塩化ナトリウム）を過剰（飽和させる）に添加することで、ルシャトリエの法則に従って、非解離の次亜塩素酸ナトリウムを生成できると考え、同様の実験を行った。
【００４３】
溶液の調製は以下のようにして行った。
【００４４】
食塩飽和次亜塩素酸ナトリウム溶液は、次亜塩素酸ナトリウム溶液(和光純薬工業株式会社、化学用、有効塩素5+%)を希釈し、食塩を過飽和に添加し、撹拌子を入れてスターラーで撹拌させてpH9、508ppmとした。
【００４５】
食塩飽和電解水は、過飽和食塩水を用意し、白金被膜チタン板を電極に用いて電気分解することで、pH9、524ppmの食塩過飽和次亜塩素酸ナトリウム溶液とした。
その結果を、表４に示す。
【００４６】
１％食塩電解水は、1%食塩水を用意し、白金被膜チタン板を電極に用いて電気分解することで、pH11、515ppmの次亜塩素酸ナトリウム溶液とした。
【００４７】
【表４】
2015107477.tif 000007
【００４８】
表４に示すように、食塩過飽和次亜塩素酸ナトリウム溶液では、溶液滴下１分後には臭気物質が除去されるという非常に強い消臭効果が見られた。これは、食塩過飽和電解水や１％食塩電解水では得られない非常に強い消臭効果である。
【実施例５】
【００４９】
また、煙や臭気物質がマイナスにチャージしていると考えられることから、静電集塵で、プラス極を大きくすることで、煙が除去できる可能性がある。そこで、図２に示す静電集塵機を試したところ、煙は目視でおおよそ取れることが分かった。しかしながら臭気物質は除去できなかった。
【００５０】
そこで、煙だけをこの静電集塵機で取り、先に示した薬液で臭気物質を分解及び／又は除去する実験したところ、表５に示すようにpH5の次亜塩素酸溶液では350ppmまで濃度を下げても十分臭気物質が分解及び／又は除去できた。pH9の次亜塩素酸ナトリウム溶液では、薬液の量を半分にすることができた。
【００５１】
【表５】
2015107477.tif 000008
【００５２】
したがって、静電集塵機で前処理し、先に示した薬液で処理することで、非常に効率性の高いたばこの煙と臭気物質の除去ができるシステムが構築できることを見出した。
さらに、本システムの最終処理に活性炭を用いることで、排気の無臭化もできることを見出した。
【実施例６】
【００５３】
本装置のシステムの概要を図３に示す。本装置を喫煙ブース等に設置し、喫煙者のたばこの煙を図３の静電集塵装置（正極の面積を大きく）したもので前処理する。これにより煙のほとんどは除去できる。しかしながら、すべての煙は取れず、臭気物質はほとんど除去できていない状態である。
【００５４】
次いで、多少の煙と臭気物質の気体に、本発明の薬液を接触させた。これにより、臭気物質と煙はすべて分解及び／又は除去できた。ただし、分解ガス成分、微量の塩素ガス成分等を除去するために、活性炭フィルターをさらに通過させた。これによって、たばこの煙と臭気物質を除去できた。
【実施例７】
【００５５】
本発明の全体像を図４に示す。臭気物質を含む気体５は静電吸着手段２に導入され静電吸着により、煙中の粒子物質が除去される。その後、気体は処理水タンク１８の上部から分解処理塔９に向かって移動する。その間にミストノズル６から塩化ナトリウム飽和次亜塩素酸ナトリウム溶液がミスト状に吹きかけられ、臭気物質を分解及び／又は除去する。処理された気体は活性炭処理手段７によりさらに臭気物質を吸着除去され、大気中に排出される（１０）。
【００５６】
塩化ナトリウム飽和次亜塩素酸溶液は、塩化ナトリウム１３、次亜塩素酸溶液１４及び水１５を混合して次亜塩素酸溶液タンク１６中で作られる。まず水がタンク１２にポンプ（図示せず）により送液され、流量計（図示せず）により一定量が導入される。次に次亜塩素酸がポンプと流量計（図示せず）により一定量が送液され、水と混合される。その後に塩化ナトリウムが飽和するに十分な量添加され、撹拌手段１６により塩化ナトリウムで飽和した次亜塩素酸ナトリウム溶液が作られる。撹拌された溶液はポンプ１１によりミストノズル６に送られ、分解処理塔９にミスト状態で噴霧される。噴霧された次亜塩素酸水溶液は処理水タンク１８に集められ、適宜排出され、必要に応じて再利用又は、廃水処理される。
なお、１８の処理水を電気分解して次亜塩素酸ナトリウム溶液を作成し、この溶液と塩化ナトリウム等を混合して解離平衡を左辺に移動させることで塩化ナトリウム過飽和次亜塩素酸水溶液を作成し、臭気物質の分解及び／又は除去に用いることもできる。
【符号の説明】
【００５７】
１活栓付ロート
２静電吸着装置
３真空ポンプ
４集気びん（枝付フラスコ）
５臭気物質を含む気体（タバコの煙等）
６ミストノズル
７活性炭処理手段
８ファン
９分解処理塔
１０排気
１１ポンプ
１２塩化ナトリウム飽和次亜塩素酸溶液タンク
１３食塩タンク
１４次亜塩素酸溶液タンク
１５水タンク
１６撹拌手段
１７水処理手段へ
１８処理水タンク
【図１】
2015107477.tif 000009
【図２】
2015107477.tif 000010
【図３】
2015107477.tif 000011
【図４】
2015107477.tif 000012